(57)【要約】【課題】高周波で点灯させる蛍光ランプを光源として備えた照明装置側に確実に到達し点灯制御することのできるリモートコントロール式の蛍光灯照明装置を提供する。【解決手段】照明器具１と赤外線方式のリモコン送信器２とからなり、照明器具１は蛍光ランプ３を有し、蛍光ランプ３を高周波で点灯する点灯回路部と点灯制御と異常検出モードと異常解除モードとの切り替えを行う点灯制御部等を有する点灯ブロック５と、を備え、リモコン送信器２は異常を検出したことを知らせるための異常検出モードの設定／解除ボタンと異常を検出するためのセンサ部とを備え、点灯制御部は異常を検出した検知信号を受信した場合に、蛍光ランプ３の定格出力での連続点灯しないよう段階的に操作する操作信号を所定時間出力させる。【選択図】図２
2007226998.tif 000002
【特許請求の範囲】
【請求項１】
照明器具と赤外線方式のリモートコントロール装置とからなり、前記照明器具は器具本体内に蛍光ランプ及び該蛍光ランプ以外の常夜灯若しくは補助光源を有し、前記蛍光ランプを高周波で点灯する点灯回路部と、点灯制御を行う点灯制御部と、前記リモートコントロール装置から送信される異常検出モードを設定する設定信号と異常検出モードを解除する解除信号及び異常を検出した検知信号を受信する受信部と、を備える照明装置であって、前記リモートコントロール装置は異常を検出したことを知らせるための異常検出モードの設定／解除ボタンと異常を検出するためのセンサ部とを備え、前記点灯制御部は異常検出モード時に異常を検出した検知信号を受信した場合に、蛍光ランプの定格出力では連続点灯しないよう操作する操作信号を所定時間出力させることを特徴とする照明装置。
【請求項２】
前記点灯制御部は前記リモートコントロール装置からの異常検出モードの設定信号と解除信号を受けてその切り替え行うと共に、異常検出モード時に前記検知信号を受信した場合に、蛍光ランプは消灯したままで前記常夜灯若しくは補助光源を点灯させ、前記リモートコントロール装置は前記常夜灯若しくは補助光源が点灯状態で前記異常検出モードの解除信号を送信可能としたことを特徴とする請求項１記載の照明装置。
【請求項３】
前記点灯制御部は異常検出モード時に前記検知信号を受信した場合に、前記蛍光ランプを点滅させ、前記リモートコントロール装置は前記蛍光ランプが点滅している状態で異常検出モードの解除信号を送信可能としたことを特徴とする請求項１記載の照明装置。
【請求項４】
照明器具と赤外線方式のリモートコントロール装置とからなり、前記照明器具は器具本体内に蛍光ランプを保持し、前記蛍光ランプを高周波で点灯する点灯回路部と、点灯制御を行う点灯制御部と、前記リモートコントロール装置から送信される異常検出モードを設定する設定信号と異常検出モードを解除する解除信号及び異常を検出した検知信号を受信する受信部と、を備える照明装置であって、前記リモートコントロール装置は異常を検出したことを知らせるための異常検出モードの設定／解除ボタンと異常を検出するためのセンサ部とを備え、前記点灯制御部は異常検出モード時に異常を検出した検知信号を受信した場合に、前記蛍光ランプを調光最下限出力で点灯させ、前記リモートコントロール装置は前記蛍光ランプが調光最下限出力で点灯している状態で異常検出モードの解除信号を送信可能としたことを特徴とする照明装置。
【請求項５】
前記照明装置は音声出力部を備え、異常検出モード時に前記受信部が前記検知信号を受信した場合に、前記音声出力部から所定の音声を発生させることを特徴とする請求項１〜４のいずれかに記載の照明装置。
【発明の詳細な説明】
【技術分野】
【０００１】
本発明は照明装置に関し、詳細には、高周波の蛍光ランプを光源として備えた照明装置を、赤外線リモートコントロール装置を用いてワイヤレスで異常検出モードの設定／解除を遠隔制御するようにした照明装置に関するものである。
【背景技術】
【０００２】
蛍光ランプを光源として備えた照明装置を、赤外線リモートコントロール装置を用いてワイヤレスで遠隔制御するようにした照明装置が知られている（例えば、特許文献１）。
【０００３】
この特許文献１の赤外線リモートコントロール装置は、発光ダイオードにより構成される信号送信部を備えており、そこからワイヤレス信号を送信することで照明装置の動作を制御する。
【０００４】
ところで、この種のリモートコントロール装置を使用する場合に、ワイヤレス信号が送信されているにもかかわらず照明装置が所定の動作を行わないことがある。特に高周波の蛍光ランプが低温雰囲気中で点灯した場合、点灯初期に放電媒体のアルゴンによる赤外領域の発光スペクトルが相当な強度で発生する。そのために、照明装置側にある赤外線リモートコントロール信号受信部が上記スペクトルを受光して不動作となったり、誤動作を起こしたりしやすくなる。また、リモートコントロール装置が、通常使用者が手に取って器具の方へ向けて操作するものではなく、置いたり壁付けして使用するものである場合、信号送信部が照明装置の方に向いていないことが多いため、さらに上記不具合が発生する確率が増える。
【０００５】
そこで、この種の不具合を解決する目的で、リモートコントロール装置のワイヤレス信号の到達性能の向上を図るために、送信方向が異なるように配設された複数の発光ダイオードを信号送信部に備えたリモートコントロール装置が開示されている（例えば、特許文献２）。
【特許文献１】特開２００５−２６８１５９号公報
【特許文献２】特開平３−２３９０９２号公報
【発明の開示】
【発明が解決しようとする課題】
【０００６】
特許文献２のリモートコントロール装置の場合、ワイヤレス信号を送信するために発光ダイオードに比較的大きな電流を流す必要があるので、内部電池の消耗が激しくなる。その対策として電池容量を増やすと、リモートコントロール装置自身の容積が大きくなり、必要以上に目立ち、使い勝手が悪くなってしまう問題がある。また、発光ダイオードを、送信方向が異なるようにフォーミングしながら複数使用することで解決しようとすると、製造コストアップの要因となってしまう。
【０００７】
本発明は上記課題に鑑みてなされたものであり、その目的は、高周波で点灯させる蛍光ランプを光源として備えた照明装置側に確実に到達し点灯制御することのできるリモートコントロール式の蛍光灯照明装置を提供することである。
【課題を解決するための手段】
【０００８】
請求項１の発明に係る照明装置は、上記目的を達成するために、照明器具と赤外線方式のリモートコントロール装置とからなり、前記照明器具は器具本体内に蛍光ランプ及び該蛍光ランプ以外の常夜灯若しくは補助光源を有し、前記蛍光ランプを高周波で点灯する点灯回路部と、点灯制御を行う点灯制御部と、前記リモートコントロール装置から送信される異常検出モードを設定する設定信号と異常検出モードを解除する解除信号及び異常を検出した検知信号を受信する受信部とを備える照明装置であって、
前記リモートコントロール装置は異常を検出したことを知らせるための異常検出モードの設定／解除ボタンと異常を検出するためのセンサ部とを備え、前記点灯制御部は異常検出モード時に異常を検出した検知信号を受信した場合に、蛍光ランプの定格出力では連続点灯しないよう操作する操作信号を所定時間出力させることを特徴とする。
【０００９】
ここで蛍光ランプの定格出力とは、点灯回路部が蛍光灯を点灯させたときの最大出力のことを言う。
【００１０】
請求項２の発明は、請求項１記載の照明装置において、前記点灯制御部は前記リモートコントロール装置からの異常検出モードの設定信号又は解除信号を受けてその切り替え行うと共に、異常検出モード時に前記検知信号を受信した場合に、蛍光ランプは消灯したままで前記常夜灯若しくは補助光源を点灯させ、前記リモートコントロール装置は前記常夜灯若しくは補助光源が点灯状態で前記異常検出モードの解除信号を送信可能としたことを特徴とする。
【００１１】
請求項３の発明は、請求項１記載の照明装置において、前記点灯制御部は異常検出モード時に前記検知信号を受信した場合に、前記蛍光ランプを点滅させ、前記リモートコントロール装置は前記蛍光ランプが点滅している状態で異常検出モードの解除信号を送信可能としたことを特徴とする。
【００１２】
請求項４の発明は、照明器具と赤外線方式のリモートコントロール装置とからなり、前記照明器具は器具本体内に蛍光ランプを保持し、前記蛍光ランプを高周波で点灯する点灯回路部と、点灯制御を行う点灯制御部と、前記リモートコントロール装置から送信される異常検出モードを設定する設定信号と異常検出モードを解除する解除信号及び異常を検出した検知信号を受信する受信部と、を備える照明装置であって、前記リモートコントロール装置は異常を検出したことを知らせるための異常検出モードの設定／解除ボタンと異常を検出するためのセンサ部とを備え、前記点灯制御部は異常検出モード時に異常を検出した検知信号を受信した場合に、前記蛍光ランプを調光最下限出力で点灯させ、前記リモートコントロール装置は前記蛍光ランプが調光最下限出力で点灯している状態で異常検出モードの解除信号を送信可能としたことを特徴とする。
【００１３】
請求項５の発明は、請求項１ないし４のいずれかに記載の照明装置において、前記照明装置は音声出力部を備え、異常検出モード時に前記受信部が前記検知信号を受信した場合に、前記音声出力部から所定の音声を発生させることを特徴とする。
【発明の効果】
【００１４】
請求項１に記載された発明に係る照明装置によれば、蛍光ランプの略定格出力で連続点灯しないよう操作する操作信号を所定時間出力させる。このように、蛍光ランプを出力調整することにより、蛍光ランプに含まれる赤外光の量が減少するので、リモートコントロール装置の限られた容積、電池容量、発光ダイオード使用数等を最低に維持しつつ、解除信号の到達性能を向上させることができる。侵入者の場合には、威嚇する効果がある。
【００１５】
請求項２に記載された発明に係る照明装置によれば、請求項１の発明の効果に加え、蛍光ランプ以外の補助光源として常夜灯を点灯させることにより、蛍光ランプに含まれる赤外光は出力されないため、解除信号の到達性能をより確実に向上させることができる。
【００１６】
請求項３に記載された発明に係る照明装置によれば、請求項１の発明の効果に加え、より蛍光ランプに含まれる赤外光の量が減少するので、解除信号の到達性能を確実に向上させることができる。
【００１７】
請求項４に記載された発明に係る照明装置によれば、請求項１の発明の効果に加え、より蛍光ランプに含まれる赤外光の量が減少するので、解除信号の到達性能を確実に向上させることができる。
【００１８】
請求項５に記載された発明に係る照明装置によれば、請求項１の発明の効果に加え、防犯モード報知と威嚇の効果を一層上げることができる。
【発明を実施するための最良の形態】
【００１９】
次に、本発明の最良の形態を図面に基づいて詳細に説明する。図１は本発明に係る照明装置の配置例を示す説明図、図２は本発明に係る照明装置の照明器具の下面図、図３はその点灯制御ユニットのブロック図、図４はそのリモートコントロール装置の正面図、図５はその動作を示すタイムチャートである。
【００２０】
本実施形態に係る照明装置は、天井面に取り付けられた照明器具１と、入り口近辺の壁等の置き場所を略固定した場所に設置された赤外線方式のリモートコントロール装置（以下、リモコン送信器という）２とから構成されている。
【００２１】
照明器具１は、高周波で点灯する二重環形蛍光灯のような蛍光ランプ３と、蛍光ランプ３を保持する器具本体４と、点灯ブロック５と、受信ブロック６からなる点灯制御ユニット７と、器具本体４に取り付けられた蛍光ランプ３を覆うグローブ８とを備えている。
【００２２】
点灯ブロック５は、商用電源を直流に変換する直流変換部９と、それを高周波に変換する点灯回路部１０と、直流変換部９および点灯回路部１０を制御する点灯制御部１１とからなる。
【００２３】
受信ブロック６は、リモコン送信器２から送信されるワイヤレス信号を受信する受信部１２と、音声出力部１３と、ＬＥＤやなつめ球等の常時点灯する常夜灯１４とからなる。音声出力部１３は音声データが格納されたメモリのような音声データ格納部と、音出力部としてのスピーカーや音声データ格納部に格納された音声データを用いてスピーカーを駆動し音声メッセージを出力させる音声制御部とを備えている。受信ブロック６の器体には、スピーカーの音を出すための音穴を設けてある。
【００２４】
リモコン送信器２は、置き型もしくは壁付けで使用する乾電池駆動式の赤外線リモコン送信器である。図４に示すように、リモコン送信器２は、異常検出（防犯）モードを設定するための防犯モード設定ボタン２１と、防犯モードを解除するための防犯モード解除ボタン２２と、リモコン送信器２周辺の人体の動きを熱線で検出するセンサ部２３と、ワイヤレス信号を送信する送信部２４と、リモコン送信器２を駆動する電池２５を備えている。
【００２５】
次に本実施形態の具体的な動作について、図５により説明する。
家人が家を留守にする際に、リモコン送信器２にある防犯モード設定ボタン２１を押すと防犯モードになる。防犯モードに設定されると、一定時間経過後、例えば、５分後、センサ部２３が自動的にON状態に切り替わり、センサ部２３はリモコン送信器２周辺の人体の動きを検出し始める。センサ部２３にて人体の動きを検出した場合、リモコン送信器２の送信部２４から照明器具１に向け異常検知（防犯）信号が送信され、照明器具１内の受信部１２にて受信される。
【００２６】
防犯信号が受信部１２にて受信される（図５に示す横軸の０）と、照明器具１内のＬＥＤ常夜灯１４がＯＮし、点灯する。常夜灯１４が点灯してから、一定時間、例えば１０秒後のｔ1までにリモコン送信器２にある防犯モード解除ボタン２２が押されると、防犯モードが解除され、通常の照明灯と同様に使用することとなる。ｔ１になるまで、防犯モード解除ボタン２２が押されず、照明器具１内の受信部１２に防犯モード解除信号が受信されないと、次の段階に入る。
【００２７】
防犯モードが解除されず、所定の時間、例えば１０秒間が経過してｔ１になると、音声１の出力部がＯＮし、例えば、センサ検知がありました等の予報音を発する。この状態で所定時間、例えば１０秒後のｔ2までにリモコン送信器２にある防犯モード解除ボタン２２が押されず、照明器具１内の受信部１２に防犯モード解除信号が受信されないと、次の段階に入る。
【００２８】
防犯モードが解除されず、所定の時間、例えばｔ１から１０秒間が経過してｔ2になると、蛍光ランプ３が断続的にＯＮ−ＯＦＦする点滅に切り替わると共に、さらに音声１の出力部はＯＦＦし、音声２の出力部がＯＮし、例えば、『ピピピッ！、センサ検知がありました』等のより警報的な威嚇的なメッセージを発する。この状態で所定時間、例えば６０秒後のｔ3までにリモコン送信器２にある防犯モード解除ボタン２２が押されず、照明器具１内の受信部１２に防犯モード解除信号が受信されないと、次の段階に入る。
【００２９】
防犯モードが解除されず、所定の時間、例えば、さらにｔ2から６０秒間が経過してｔ3になると、蛍光ランプが点灯に切り替わると共に、音声音声２の出力部のＯＮが継続する。
【００３０】
以上のように、リモコン送信器２の送信部２４から照明器具１に向け防犯信号が送信され、照明器具１内の受信部１２にて受信された場合に、蛍光ランプ３を連続的に点灯させるのではなく、蛍光ランプ３以外の補助光源としての常夜灯を点灯させたり、または蛍光ランプを点滅させることで、蛍光ランプに含まれる赤外光の量が減少し、防犯モード解除信号の到達性能を向上させることができる。また、経過時間に応じて威嚇効果を段階的に増していくことで、例えば、防犯モード設定中に不審者ではなく家人が家に戻った際には、威嚇効果の少ない段階ですぐに防犯モードを解除することができる。
【００３１】
なお、本発明は上記実施形態に限られることなく実施可能である。例えば、補助光源を用いず、蛍光ランプのみを用いて、出力を最小レベルにまで下限調光してもよい。この場合、下限調光レベルで点滅させるようにしてもよい。
【００３２】
また、蛍光ランプ以外の補助光源としてＬＥＤ常夜灯を用いた例で説明したが、白熱灯等他の補助光源でもよいし、補助光源を人体の動きを検出した場合でも所定時間点灯しないで、防犯モード解除操作が行えるようにしてもよいし、補助光源は１度点灯したら防犯モード解除まで消灯しないようにしてもよい。
【００３３】
また、音声の種類を音声１、音声２としたが段階的に変化させるようにしてもよい。また、センサ部２３が一度防犯信号を送信したら、リモコン送信器の近辺を離れても、防犯モード解除まで所定時間、送信し続けるようにしてもよい。
【００３４】
さらに、センサ部を人に感知する人感センサの例で説明したが、煙を検知する煙感センサでもよいし、両者を備え、煙感センサに対応して火災報知ができるように点灯制御部等を構成してもよい。
【図面の簡単な説明】
【００３５】
【図１】本発明に係る照明装置の配置例を示す説明図である。
【図２】その照明器具の概略構成を示す下面図である。
【図３】その点灯制御ユニットのブロック図である。
【図４】そのリモートコントロール装置の正面図である。
【図５】その動作を説明するタイムチャートである。
【符号の説明】
【００３６】
１  照明器具
２  リモコン送信器（リモートコントロール装置）
３  蛍光ランプ
４  器具本体
５  点灯ブロック
６  受信ブロック
７  点灯制御ユニット
９  直流変換部
１０  点灯回路部
１１  点灯制御部
１２  受信部
１３  音声出力部
１４  常夜灯
２１  異常検出（防犯）モード設定ボタン
２２  異常検出（防犯）モード解除ボタン
【図１】
2007226998.tif 000003
【図２】
2007226998.tif 000004
【図３】
2007226998.tif 000005
【図４】
2007226998.tif 000006
【図５】
2007226998.tif 000007